(57)【特許請求の範囲】
【請求項１】
素子基板と対向基板との間に挟持された電気泳動層を有する電気泳動表示モジュールを備え、前記対向基板側を表示面とする電気泳動表示装置であって、
前記電気泳動表示モジュールと、前記電気泳動表示モジュールの前記対向基板側に配置される第１の保護シートと、前記電気泳動表示モジュールの前記素子基板側であって前記電気泳動表示モジュールを挟んで前記第１の保護シートに対向配置される第２の保護シートと、前記第１の保護シートと前記第２の保護シートとの間であって前記第１及び第２の保護シートの外周部に設けられて前記電気泳動表示モジュールを取り囲む額縁部材とを備え、
前記第１の保護シートと前記額縁部材とが溶着されると共に前記第２の保護シートと前記額縁部材とが溶着されることにより、前記第１の保護シートと前記第２の保護シートと前記額縁部材とが一体化されており、
前記電気泳動表示モジュールに接続され、前記電気泳動表示モジュールと前記額縁部材の外側との導通をとるための接続基板を更に備え、
前記額縁部材は、当該額縁部材の内外を貫通する貫通部を有し、
前記接続基板は、前記貫通部を介して前記額縁部材の内外を貫通することで前記額縁部材の内外に跨って配置されており、
前記額縁部材は、
前記第１の保護シートに溶着され、前記貫通部の一部分を構成する第１溝部を有する第１部材と、
前記第２の保護シートに溶着され、前記第１部材と一体的に形成され、前記第１溝部との間で前記貫通部を構成する第２溝部を有する第２部材と
を備える
ことを特徴とする電気泳動表示装置。
【請求項２】
前記電気泳動表示モジュールと前記額縁部材との間に空間が設けられ、前記空間が空気層であることを特徴とする請求項１に記載の電気泳動表示装置。
【請求項３】
前記空気層の圧力が外部雰囲気よりも高くされていることを特徴とする請求項２に記載の電気泳動表示装置。
【請求項４】
前記電気泳動表示モジュールと前記額縁部材との間に衝撃緩和部材が充填されていることを特徴とする請求項１に記載の電気泳動表示装置。
【請求項５】
前記第１の保護シートと前記電気泳動表示モジュールとの間に衝撃緩和層が設けられることを特徴とする請求項１乃至４のいずれか一項に記載の電気泳動表示装置。
【請求項６】
前記第１の保護シートと前記第２の保護シートとの間に前記電気泳動表示モジュールを位置決めする位置決め部材が備えられ、前記位置決め部材が前記額縁部材に一体化されていることを特徴とする請求項１乃至５のいずれか一項に記載の電気泳動表示装置。
【請求項７】
前記貫通部内には、前記接続基板と前記額縁部材との隙間を埋める熱硬化性の封止部材が設けられている
ことを特徴とする請求項１乃至６のいずれか一項に記載の電気泳動表示装置。
【請求項８】
前記貫通部は、前記第１の保護シート及び前記第２の保護シートのうち少なくとも一方に接する位置に形成されている
ことを特徴とする請求項１乃至７のいずれか一項に記載の電気泳動表示装置。
【請求項９】
前記第１の保護シートと前記第２の保護シートとの間であって前記額縁部材の外側に設けられ、前記接続基板を介して前記電気泳動表示モジュールと電気的に接続され、前記電気泳動表示モジュールの駆動回路を有する回路基板と、
前記第１の保護シートと前記第２の保護シートの間に設けられ、前記回路基板を取り囲む第２額縁部材と
を更に備えることを特徴とする請求項１乃至８のいずれか一項に記載の電気泳動表示装置。
【請求項１０】
装置外部に接続されるコネクタを更に備え、
前記回路基板は、前記コネクタに電気的に接続されている
ことを特徴とする請求項９に記載の電気泳動表示装置。
【請求項１１】
前記回路基板に着脱可能に設けられる電源装置
を更に備えることを特徴とする請求項１乃至１０のいずれか一項に記載の電気泳動表示装置。
【請求項１２】
前記電源装置は、前記回路基板のうち前記第２の保護シート側に着脱可能に設けられる
ことを特徴とする請求項１１に記載の電気泳動表示装置。
【請求項１３】
前記第２の保護シートは、平面視で前記電源装置に対応する位置に蓋部を有する
ことを特徴とする請求項１２に記載の電気泳動表示装置。
【請求項１４】
前記第２の保護シートと前記額縁部材とが一部材として形成されている
ことを特徴とする請求項１乃至１３のいずれか一項に記載の電気泳動表示装置。
【発明の詳細な説明】
【技術分野】
【０００１】
本発明は、電気泳動表示装置に関するものであり、特に、表示体実装分野における薄型の電子ペーパーとして用いられる電気泳動表示装置の改良に関するものである。
【背景技術】
【０００２】
液晶表示デバイスに代表される平面表示装置は、薄型、軽量、低消費電力などの特徴を生かしてＯＡ機器、情報端末、時計、テレビ等の各分野に利用されている。現在、携帯電話をはじめとするこれらの液晶表示デバイスには、より薄く、より軽く、且つ丈夫であることが要求されている。
【０００３】
一方、カラー表示や動画表示という点において液晶表示デバイスには劣るものの、薄さ、軽さ及び低消費電力を実現し得る表示体として、電気泳動ディスプレイ（Ｅｌｅｃｔｒｏｐｈｏｒｅｔｉｃ  Ｄｉｓｐｌａｙ：ＥＰＤ）が注目されている。この電気泳動ディスプレイ（以下、ＥＰＤという）は、紙に近い性質を有しており、読むことを目的とした「電子ペーパー」として開発が進められている。
【０００４】
代表的な電子ペーパーであるマイクロカプセル型ＥＰＤは、帯電粒子が分散した溶媒をマイクロカプセルに封入し、マイクロカプセルを挟持するように形成された電極間に電圧を印加して電界を発生させることにより、帯電粒子の分布を変化させてコントラストを得る表示体である。電圧印加を止めても静電気力や分子間力によって引きつけられた帯電粒子が電極付近に留まることから、電力を消費せずに表示画像を保持し続けられるという特徴を有する。さらに、液晶ディスプレイのような透過光や有機ＥＬディスプレイのような発光ではなく、帯電粒子や溶媒そのものの色（反射光）を観察するため視野角依存がなく、紙のように目に優しく、長時間の凝視にも耐えられるといった利点がある。
【０００５】
ところで、薄く、軽く、且つ柔軟性を有するといったＥＰＤの特徴は、ＥＰシートと呼ばれる表示部を構成する材料のほとんどが有機物で形成されている結果であるが、薄さや軽さを追求すると材料そのものの強度が不足してしまい、外部からの衝撃に弱くなって商品としての使用に耐えられなくなるという問題があった。
【０００６】
上記問題を解決するために、プラズマディスプレイのような平面表示デバイスで利用されている衝撃緩和機能を有する材料をＥＰＤに適用することで表示デバイスの破壊を回避することが有効であり、既に特許文献１に開示されている衝撃層と衝撃吸収層とからなる構造によってＥＰＤを構成するガラス基板への衝撃緩和構造が提案されている。  
【特許文献１】特開２００６−１５０７５５号公報
【発明の開示】
【発明が解決しようとする課題】
【０００７】
ところで、マイクロカプセル型ＥＰＤにおいては、上述したガラス基板以上にマイクロカプセルそのものの耐衝撃性が低いため、より厚い衝撃緩和層を用いる必要があった。このように厚い衝撃緩和層を設けることにより、耐衝撃性が改善される。しかしながら、電子ペーパーのような薄型の表示体に１ｍｍ以上の厚さの衝撃緩和層を設けると、薄さや軽さといった本来のＥＰＤの有する利点を損なってしまい、著しく商品価値を低下させてしまうという問題があった。
【０００８】
また、紙のような使い方を前提とした電子ペーパーの場合、落下の際に自らの重量によって生じる衝撃でガラス基板が損傷を受けやすいという問題があった。したがって、構成部材のなかで最も比重が大きい部材である上記のガラス基板を薄くしたり、表示体上に形成する衝撃緩和層をできる限り薄くしたりすることにより、電子ペーパー全体の重量を低減して落下時の衝撃を緩和する手法も有効であった。しかしながら、薄型化したガラス自体の強度が低下して曲げ応力に対する耐性が著しく低下するといった問題や、薄くした衝撃緩和層が十分な衝撃吸収機能を発現しないためにマイクロカプセルが破損するといった問題が生じていた。
【０００９】
さらに、ＥＰＤのもうひとつの特徴である紙のような見易さについては、帯電粒子からの反射光を観察する、いわゆる反射型の表示体であることから、太陽光の下での使用に対して非常に有利である。ただし、使用環境として屋外を想定した場合に、温度や湿度等の変化による劣化してしまうという問題があった。
【００１０】
本発明は、上記事情に鑑みてなされたものであって、薄型であると共に耐衝撃性を備えた電気泳動表示装置を提供することを目的の一つとする。  
また、耐侯性に優れた電気泳動表示装置を提供することを目的の一つとする。
【課題を解決するための手段】
【００１１】
上記の目的を達成するために、本発明は以下の構成を採用した。  
すなわち、本発明の電気泳動表示装置は、素子基板と対向基板との間に挟持された電気泳動層を有する電気泳動表示モジュールを備え、前記対向基板側を表示面とする電気泳動表示装置であって、前記電気泳動表示モジュールと、前記電気泳動表示モジュールの前記対向基板側に配置される第１の保護シートと、前記電気泳動表示モジュールの前記素子基板側であって前記電気泳動表示モジュールを挟んで前記第１の保護シートに対向配置される第２の保護シートと、前記第１の保護シートと前記第２の保護シートとの間であって前記第１及び第２の保護シートの外周部に設けられて前記電気泳動表示モジュールを取り囲む額縁部材とを備え、前記第１の保護シートと前記額縁部材とが溶着されると共に前記第２の保護シートと前記額縁部材とが溶着されることにより、前記第１の保護シートと前記第２の保護シートと前記額縁部材とが一体化されていることを特徴とする。
【００１２】
本発明の電気泳動表示装置によれば、電気泳動表示モジュールが第１の保護シートと第２の保護シートとの間に配置される構成を有している。このため、電気泳動表示装置の全体の厚みが過剰に厚くなることがなく、薄型の電気泳動表示装置を提供することができる。
【００１３】
また、電気泳動表示モジュールが額縁部材によって取り囲まれ、第１の保護シートと第２の保護シートと当該額縁部材とが溶着されて一体化される構成となっている。このように電気泳動表示モジュールは、第１及び第２の保護シートと額縁部材とが一体化されることによって形成された空間内に収納されているため、落下の衝撃や曲げ等の応力が加わったとしても、各保護シートと額縁部材とが剥離するおそれがない。これにより、全方位からの衝撃が直接当該電気泳動表示モジュールに加わることがない。よって、使用時に想定される自身の落下衝撃による破壊や曲げ応力による破壊を低減することができる。  
さらに、第１及び第２の保護シートと額縁部材とが溶着されて一体化される構成となっている。このように第１及び第２の保護シートと額縁部材との間には、湿度を透過するような接着剤等の中間物が介在しないため、湿度変化による電気泳動表示モジュールの劣化を抑制することができる。
【００１４】
また、本発明の電気泳動表示装置は、前記電気泳動表示モジュールと前記額縁部材との間に空間が設けられ、前記空間が空気層であることが好ましく、さらに、前記空気層の圧力が外部雰囲気よりも高くされていることが好ましい。  
このように電気泳動表示モジュールと額縁部材との間に空気層を有する構成であると、さらに衝撃緩和性を付加することができる。  
また、当該空気層の圧力が外部雰囲気よりも高くされていると、外部から浸入する水分の量を低減することができる。これにより、さらに耐侯性を向上させた電気泳動表示装置を提供することができる。
【００１５】
さらに、本発明の電気泳動表示装置は、前記電気泳動表示モジュールと前記額縁部材との間に衝撃緩和部材が充填されていてもよい。  
このように電気泳動表示モジュールと額縁部材との間に衝撃緩和部材が充填することにより、電気表示モジュールの周辺部への衝撃を緩和することができる。これにより、さらに耐衝撃性が向上された電気泳動表示装置を提供することができる。
【００１６】
更にまた、本発明の電気泳動表示装置は、前記第１の保護シートと前記電気泳動表示モジュールとの間に衝撃緩和層を設けることが好ましい。  
このように第１の保護シートと電気泳動表示モジュールとの間に衝撃緩和層を設けることにより、当該電気表示モジュールの表示面側である対向基板への衝撃を緩和することができる。これにより、さらに耐衝撃性が向上された電気泳動表示装置を提供することができる。
【００１７】
また、本発明の電気泳動表示装置は、前記第１の保護シートと前記第２の保護シートとの間に前記電気泳動表示モジュールを位置決めする位置決め部材が備えられ、前記位置決め部材が前記額縁部材に一体化されていることが好ましい。  
このように位置決め部材が備えられることにより、第１及び第２の保護シートとの間に電気泳動表示モジュールを収納する際の位置決めを容易にすることができる。また、位置決め部材と額縁部材とが一体化されていることにより、電気表示モジュールが第１、第２保護シートの間で位置ずれを起こすことがなく、電気表示モジュールの周辺部への衝撃を緩和することができる。これにより、さらに耐衝撃性が向上された電気泳動表示装置を提供することができる。
【００１８】
また、前記電気泳動表示モジュールに接続され、前記電気泳動表示モジュールと前記額縁部材の外側との導通をとるための接続基板を更に備え、前記接続基板は、前記額縁部材の内外に跨って配置されていることを特徴とする。  
本発明によれば、電気泳動表示モジュールと額縁部材の外側との導通をとるための接続基板が電気泳動表示モジュールに接続され、当該接続基板が額縁部材の内外に跨って配置されていることとしたので、回路基板と電気泳動表示モジュールとの間の接続を確実に行うことができる。
【００１９】
また、前記額縁部材は、当該額縁部材の内外を貫通する貫通部を有し、前記接続基板は、前記貫通部を介して前記額縁部材の内外を貫通することで前記額縁部材の内外に跨って配置されることを特徴とする。  
本発明によれば、額縁部材が当該額縁部材の内外を貫通する貫通部を有し、接続基板が当該貫通部を介して額縁部材の内外を貫通することで額縁部材の内外に跨って配置されることとしたので、接続基板の寸法を極力抑えることができる。これにより、装置全体の寸法を抑えることができるため、より小型の電気泳動表示装置を得ることができる。
【００２０】
また、前記貫通部内には、前記接続基板と前記額縁部材との隙間を埋める熱硬化性の封止部材が設けられていることを特徴とする。  
本発明によれば、貫通部内には接続基板と額縁部材との隙間を埋める熱硬化性の封止部材が設けられていることとしたので、より耐湿性の高い電気泳動表示装置を得ることができる。
【００２１】
また、前記額縁部材は、前記第１の保護シートに溶着され、前記貫通部の一部分を構成する第１溝部を有する第１部材と、前記第２の保護シートに溶着され、前記第１部材と一体的に形成され、前記第１溝部との間で前記貫通部を構成する第２溝部を有する第２部材とを備えることを特徴とする。  
本発明によれば、額縁部材が、第１の保護シートに溶着され貫通部の一部分を構成する第１溝部を有する第１部材と、第２の保護シートに溶着され第１部材と一体的に形成され第１溝部との間で貫通部を構成する第２溝部を有する第２部材とを備えることとしたので、装置全体の組み立て易さが向上することとなる。
【００２２】
また、前記貫通部は、前記第１の保護シート及び前記第２の保護シートのうち少なくとも一方に接する位置に形成されていることを特徴とする。  
本発明によれば、貫通部が第１の保護シート及び第２の保護シートのうち少なくとも一方に接する位置に形成されていることとしたので、装置全体の組み立てやすさが向上することとなる。また、特に貫通部内に熱硬化性の封止部材を配置する場合、貫通部が接する側の保護シートと額縁部材とを溶着する際の溶着熱を利用して封止部材を硬化させることができるという利点も有している。
【００２３】
また、前記第１の保護シートと前記第２の保護シートとの間であって前記額縁部材の外側に設けられ、前記電気泳動表示モジュールとの間で駆動信号を授受可能に設けられ、前記電気泳動表示モジュールの駆動回路を有する回路基板と、前記第１の保護シートと前記第２の保護シートの間に設けられ、前記回路基板を取り囲む第２額縁部材とを更に備えることを特徴とする。  
本発明によれば、電気泳動表示モジュールの駆動回路を有し電気泳動表示モジュールとの間で駆動信号を授受可能に設けられた回路基板が第１の保護シートと第２の保護シートとの間に配置されると共に、回路基板が額縁部材の外側に設けられており、回路基板の当該一部分を取り囲む第２額縁部材が第１の保護シートと第２の保護シートの間に設けられているので、回路基板が額縁部材の外側に配置されている場合であっても、耐衝撃性を備えた薄型の電気泳動表示装置を得ることができる。
【００２４】
また、装置外部に接続されるコネクタを更に備え、前記回路基板は、前記コネクタに電気的に接続されていることを特徴とする。  
本発明によれば、装置外部に接続するコネクタが更に備えられており、回路基板がコネクタに電気的に接続されていることとしたので、装置外部との間の接続を容易にすることができる。
また、前記第１の保護シートと前記第２の保護シートとの間であって前記額縁部材の外側に設けられ、前記電気泳動表示モジュールとの間で駆動信号を授受可能に設けられ、前記電気泳動表示モジュールの駆動回路を有する回路基板と、前記第１の保護シートと前記第２の保護シートの間に設けられ、前記回路基板を取り囲む第２額縁部材とを更に備え、前記回路基板には、前記電気泳動表示モジュールとの間で非接触で前記駆動信号を授受する通信装置が設けられていることを特徴とする。  
【００２５】
本発明によれば、電気泳動表示モジュールの駆動回路を有する回路基板が額縁部材の外側に配置されており、当該回路基板には電気泳動表示モジュールとの間で非接触で駆動信号を授受する通信装置が設けられていることとしたので、電気泳動表示モジュールを第１の保護シート、第２の保護シート及び額縁部材のみによって封止した状態で当該電気泳動表示モジュールを駆動させることができる。これにより、防湿性を一層高めることが可能となる。
【００２６】
また、前記回路基板に着脱可能に設けられる電源装置を更に備えることを特徴とする。  
本発明によれば、回路基板に着脱可能に設けられる電源装置を更に備えることとしたので、外部の電源を用いることなく電気泳動表示装置を駆動させることができる。これにより、電気泳動表示装置の携帯性や利便性を向上させることができる。
【００２７】
また、前記電源装置は、前記回路基板のうち前記第２の保護シート側に着脱可能に設けられることを特徴とする。  
本発明によれば、電源装置が回路基板のうち第２の保護シート側に着脱可能に設けられることとしたので、表示に影響の無い部位において電源装置を配置することができると共に、当該電源装置が着脱可能に設けられることで電源装置を交換することができる。
【００２８】
また、前記第２の保護シートは、平面視で前記電源装置に対応する位置に蓋部を有することを特徴とする。  
本発明によれば、第２の保護シートが平面視で電源装置に対応する位置に蓋部を有することとしたので、当該蓋部を介して電気泳動表示装置外部から電源装置にアクセスすることができる。これにより、電気泳動表示装置の操作性及び電源装置の交換時のメンテナンス性を向上させることができる。
【００２９】
また、前記第２の保護シートと前記額縁部材とが一部材として形成されていることを特徴とする。  
本発明によれば、第２の保護シートと額縁部材とが一部材として形成されていることとしたので、防湿性を一層高めることが可能となる。
【発明を実施するための最良の形態】
【００３０】
以下、本発明を適用した実施形態について、図面を参照して詳細に説明する。なお、以下の各図は、本発明の実施形態の構成を説明するためのものであり、図示される各部の大きさや厚さや寸法等は、実際の電気泳動表示装置の寸法関係とは異なる場合がある。
【００３１】
＜第１の実施形態＞  
図１は、本発明の第１の実施形態である電気泳動表示装置を模式的に示す平面図である。また、図２は、図１に示すＡ−Ａ’線に沿う断面模式図である。  
本発明を適用した第１の実施形態である電気泳動表示装置１は、図１及び図２に示すように、後述する素子基板７と対向基板９との間に挟持された電気泳動層８を有する電気泳動表示モジュール２と、前記対向基板９側に配置される第１の保護シート３と、前記素子基板７側であって第１の保護シート３に対向配置される第２の保護シート４と、第１の保護シート３と第２の保護シート４との間であって第１及び第２の保護シート３，４の外周部に設けられて電気泳動表示モジュール２を取り囲む額縁部材５とを備えている。なお、本実施形態では、第１及び第２の保護シート３，４が電気泳動表示装置１の最表層となっており、第１の保護シート３側が表示面となっている。
【００３２】
電気泳動表示モジュール２は、図２に示すように、画素電極（図示せず）が設けられたＴＦＴガラス基板（素子基板）７と、このＴＦＴガラス基板７上に順次設けられた電気泳動層８、共通電極（図示せず）、及びＰＥＴ層（対向基板）９からなる電気泳動シートと、この電気泳動シート上に設けられた防湿層１０と、電気泳動シートと防湿層１０との間の空間に充填された防湿樹脂１１とから構成されている。
【００３３】
ＴＦＴガラス基板（素子基板）７は、本実施形態では無アルカリガラスからなる厚さが０．５ｍｍ程度のものである。また、素子基板７として、ＰＥＴなどの透明樹脂からなるものを用いることもできる。この場合、薄膜回路素子を含む薄膜回路層を石英ガラスや、ガラス基板などの基板上に形成し、形成された薄膜回路層をこの基板から剥離し、プラスチック基板に移し変える転写法を用いることができる。または、樹脂基板上に、薄膜回路素子として有機半導体をインクジェット法などによって直接形成することであっても良い。  
なお、画素電極（図示せず）は、公知のレジスト法及びエッチング法を用いたパターニング技術や、液滴吐出法等を用いて選択的に材料を塗布する技術、若しくは蒸着法等を用いて素子基板７上に形成することができる。
【００３４】
電気泳動シートは、例えばＰＥＴ層（対向基板）９を基体とし、この基体上にＩＴＯ等の透明な導電材料で共通電極（図示せず）を形成し、この上に電気泳動層８および接着層を積層したものである。  
また、本実施形態の電気泳動層８は、電気泳動物質を含有するマイクロカプセルを多数有してなるマイクロカプセル型のものである。マイクロカプセルは、例えば正に帯電した黒色の正帯電粒子（電気泳動物質）と、負に帯電した白色の負帯電粒子（電気泳動物質）と、を分散液中に分散させ、この分散液を微小なカプセルに封入することで得ることができる。
【００３５】
また、このような電気泳動シートは製品化されており、製品を用いるようにしてもよく、本実施形態ではＥ・Ｉｎｋ社の製品であるＶｉｚｐｌｅｘ（登録商標）を用いている。
電気泳動シートの厚さとしては、本実施形態では０．２ｍｍ程度としている。
【００３６】
防湿層１０は、水蒸気や水分等の湿気が透過しにくい材料、すなわち水蒸気透過率等の透湿性が低い材料からなる透明なものである。これにより、防湿層１０における第１の保護シート３側から電気泳動シート側に湿気が透過することによる電気泳動シート側の湿度の上昇と、防湿層１０における電気泳動シート側から第１の保護シート３側に湿気が透過することによる電気泳動シート側の湿度の下降と、の双方が防止できるようになっている。換言すると、防湿層１０によって、電気泳動シートにおける湿度環境を一定に維持している。  
防湿層１０として、具体的には、防湿、透明性に優れたフッ素樹脂や、ＰＣＴＦＥ（ポリクロロトリフルオロエチレン（Ｐｏｌｙ  Ｃｈｌｏｒｏ  Ｔｒｉ  Ｆｕｒｕｏｒｏ  Ｅｔｈｙｌｅｎｅ）、三フッ化エチレン樹脂）などを用いることができる。  
本実施形態では、防湿層１０として株式会社クレハ製のセレール（商品名）を用いており、その厚さとしては０．１ｍｍ程度である。
【００３７】
防湿樹脂１１は、図２に示すように、電気泳動シートを構成するＴＦＴガラス基板（素子基板）７と防湿層１０との間の空間に充填されている。これにより、水分を嫌う電気泳動層８への水分の浸入を確実に防止することができるように設けられている。また、防湿樹脂１１を構成する材料としては、例えば、エポキシ系、アクリル系、シリコン系の樹脂などが挙げられる。なお、本実施形態では、日立化成工業社製のタフィー（商品名）を用いている。
【００３８】
第１及び第２の保護シート３，４は、図１及び図２に示すように、耐衝撃性及び対擦性を有することが好ましい。また、第１の保護シートは、電気泳動表示装置１の表示面を構成することから、透明性が高いことを要すると共に、水分を嫌う電気泳動層８の劣化を抑制するために耐侯性を有することが好ましい。第１及び第２の保護シートを構成する材料としては、例えば、アクリル樹脂、ＰＥＴ、ＰＣ等の通常のプラスチック材料を適用することができる。なお、本実施形態では、第１及び第２の保護シート３，４として、日東樹脂工業社製のクラレックス（商品名）を用いており、その厚さは、それぞれ０．５ｍｍ程度である。
【００３９】
額縁部材５は、図１及び図２に示すように、第１の保護シート３と第２の保護シート４との間であって第１及び第２の保護シート３，４の外周部に、電気泳動表示モジュール２を取り囲むように設けられている。そして、第１の保護シート３の表面と額縁部材５の一方の表面とが溶着されると共に第２の保護シート４と額縁部材５の他方の表面とが溶着されることにより、第１及び第２の保護シート３，４と一体化されている。このように、第１及び第２の保護シート３，４と額縁部材５とを溶着によって一体化された構造体の密閉された内部空間に上記電気泳動表示モジュール２が収納されるため、電気泳動表示装置１の曲げ応力及び破壊強度を向上することができる。さらに、電気泳動表示装置１への水分の浸入及び拡散を十分に抑制することができる。
【００４０】
なお、電気泳動表示モジュール２を上記構造体の密閉された内部空間に収納する際には、図２に示すように、電気泳動表示モジュール２を構成するＴＦＴガラス基板７と第２の保護シート４との間に接着層１２を設ける。これにより、電気泳動表示モジュール２と第２の保護シート４とが接着層１２により接着されるため、上記内部空間において電気泳動表示モジュール２を確実に固定することができる。
【００４１】
第１及び第２の保護シート３，４と額縁部材５との溶着させる方法は、特に限定されるものではないが、レーザー光による加熱によって材料同士を熱溶着（融着）する方法あるいは相互拡散によって溶着する方法等を例示することができる。
【００４２】
以下に、レーザー光による加熱によって材料同士を熱溶着（融着）する方法を説明する。  
図３は、レーザー光による加熱によって材料同士を溶融するプロセスを示す模式図である。このレーザーを用いた熱溶着方法は、先ず、図３（ａ）に示すように、金属基板１０１上に光吸収性樹脂１０２と光透過性樹脂１０３とが積層されて構成された被照射体１００に対して、金属基板１０１と反対側の光透過性樹脂１０３側からレーザー光Ｌを照射する。光透過性樹脂１０３がレーザー光Ｌを吸収しないため、レーザー光Ｌは、図３（ｂ）に示すように、光透過性樹脂１０３と光吸収性樹脂１０２との界面である光吸収性樹脂１０２の表面１０２ａに吸収される。このため、光吸収性樹脂１０２は、レーザー光Ｌによって加熱され、表面１０２ａの近傍部分が溶融して溶融部Ｍが発生する。
【００４３】
引き続きレーザー光Ｌを照射すると、図３（ｃ）に示すように、光透過性樹脂１０３と光吸収性樹脂１０２との界面である光透過性樹脂１０３の表面１０３ａは、溶融部Ｍの熱によって溶解して溶融部Ｍの一部となる。最後に、図３（ｄ）に示すように、十分に上記溶融部Ｍを形成した後にレーザー光Ｌの照射を止めると、溶融部Ｍの温度が低下して溶融していた樹脂が硬化する。図３（ｄ）中では溶融部Ｍの境界線を記しているが、実際には光吸収性樹脂１０２と光透過性樹脂１０３との境界線は存在しない。このようにして、レーザー光による加熱によって材料同士を溶着して一体化することができる。
【００４４】
上述したように、レーザー光による加熱によって材料同士を熱溶着（融着）する方法を用いる場合には、額縁部材５は、レーザー光を吸収する材料であることが好ましい。この額縁部材５を構成する材料としては、第１及び第２の保護シート３，４と同種の材料であることが好ましいが特に限定されるものではない。例えばレーザー光による溶融条件を最適化することにより、第１及び第２の保護シート３，４と異種の材料を適用することも可能である。
【００４５】
また、額縁部材５を構成する材料として、電気泳動表示装置１の表示面を構成するために透明性が高い第１の保護シート３と同種の材料（例えばアクリル樹脂等）を用いる場合には、材料を着色する方法や顔料を混ぜる方法を用いることにより、レーザー光を吸収させる層とすることができる。この場合、着色する色調は、レーザー光を吸収し易い色調、例えば、黒や、紺、青、赤色など濃い色調が好ましい。
【００４６】
一方、例えば、超音波溶着法など、相互拡散によって溶着する方法を用いる場合には、額縁部材５を構成する材料は、レーザー光を吸収する材料でなくてもよく、第１及び第２の保護シート３，４を構成する材料とガラス転位点が近い材料同士であればよい。さらに、額縁部材５を構成する材料と第１及び第２の保護シート３，４を構成する材料とが同種材料であることがより好ましい。
【００４７】
なお、本実施形態では、額縁部材５として、住友化学社製のスミペックス（商品名）を用いており、その厚さは２ｍｍ程度である。さらに、額縁部材５と第１及び第２の保護シート３，４との溶着には、リコー光学株式会社製のレーザー光源ＲＩ−７０００（装置名）を用いて行った。
【００４８】
本実施形態の電気泳動表示装置１は、図１及び図２に示すように、電気泳動表示モジュール２と額縁部材５との間に空間６が設けられている。この空間６が空気層（エアギャップ）となっていることにより、電気泳動表示装置１の耐衝撃性をさらに向上させることができる。さらに、空気層の圧力が外部雰囲気よりも高く構成されることにより、外部から電気泳動表示装置１内へと浸入する水分の量及び内部から外部へと拡散する水分の量を低減することができる。これにより、さらに耐侯性を向上させることができる。なお、空気層の圧力を外部雰囲気よりも高く構成するためには、第１及び第２の保護シート３，４と額縁部材５とを溶着によって一体化された構造体の密閉された内部空間に、陽圧下で電気泳動表示モジュール２を封止すればよい。
【００４９】
なお、空間６は、空気層に限定されるものではなく、例えば、多孔質樹脂や、エラストマーなどの衝撃緩和部材が充填されていても良い。このような構成とすることで、電気泳動表示装置１の耐衝撃性をさらに向上させることができる。
【００５０】
以上のような構成の電気泳動表示装置１は、画素電極（図示せず）と共通電極（図示せず）との間に電界が印加されると、電気泳動層８のマイクロカプセルに封入された正帯電粒子（黒色）及び負帯電粒子（白色）には、その帯電の正負に応じた方向に静電気力が作用する。例えば、図２に示すように、画素電極が共通電極よりも高電位である画素電極上においては、共通電極（低電位）側に正帯電粒子（黒色）が移動することにより、これが透明な共通電極通して最表層である第１の保護シート３側から視認され、画素電極に対応した画素が黒色表示となる。また、画素ごとに、画素電極と共通電極との間の電位差を制御することにより、所望の画像を表示することができるようになっている。
【００５１】
ところで、一般に、電気泳動層８は、湿度が所定の値よりも高い場合でも低い場合でも劣化してしまうため、液晶表示装置等の表示装置よりも厳しい湿度管理が必要とされる。
ところが、透湿性が低い材料は衝撃力により破損しやすいので、従来の電気泳動表示装置は十分な湿度管理を行うことが困難であった。  
ところが、本発明の効果により、防湿層１０の破損を良好に防止できるので、本実施形態のように防湿層１０を備えた構成とすれば、電気泳動層８の劣化を十分に防止することができ、長寿命の電気泳動表示装置とすることができる。
【００５２】
また、本実施形態のように、最表層となる第１の保護シート３をアクリル樹脂からなるものとすれば、先述のようにキズが付き難くかつ軽量とすることができるとともに、良好な耐候性を得ることができる。耐候性とは、太陽光による紫外線や熱、雨等による水分、温度変化等により材料が変質しない特徴のことであり、屋外曝露試験等で評価される。耐候性に優れた電気泳動表示装置１は、幅広い環境条件で使用可能となっているので、より良好な携帯性となり、例えば屋外等でも使用可能なものとなる。
【００５３】
なお、本実施形態ではマイクロカプセル型の電気泳動層８としたが、マイクロカプセル型でなくともよく、例えば画素電極の間に隔壁を設け、画素電極上に電気泳動物質を分散させた分散媒を配し、共通電極等でこれを封止するようにしてもよい。
【００５４】
また、本実施形態では、図２に示すように、第１の保護シート３を表示部の最外層としたが、例えば、この第１の保護シート３上に紫外線カットフィルムや、反射防止フィルム、あるいはよりキズを付きにくくするためのハードコート等の機能膜を設け、これを最外層としてもよい。  
さらに、防湿層１０や第１の保護シート３、第２の保護シート４等は、いずれも単層で構成する必要は無く、複数層で構成してもよい。
【００５５】
以上説明したように、本実施形態の電気泳動表示装置１によれば、電気泳動表示モジュール２が第１の保護シート３と第２の保護シート４との間に配置される構成を有している。このため、電気泳動表示装置１の全体の厚みが５ｍｍ以下となり、薄型の電気泳動表示装置１を提供することができる。  
また、電気泳動表示モジュール２が額縁部材５によって取り囲まれ、第１の保護シート３と第２の保護シート４と額縁部材５とが一体化される構成となっている。このように電気泳動表示モジュール２は、第１及び第２の保護シート３，４と額縁部材５とによって形成された空間内に収納されているため、全方位からの衝撃が直接当該電気泳動表示モジュール２に直接加わることがない。これにより、使用時に想定される自身の落下衝撃による破壊や曲げ応力による破壊を低減することができる。  
さらに、第１及び第２の保護シート３，４と額縁部材５とが溶着されて一体化される構成となっている。このように第１及び第２の保護シート３，４と額縁部材５との間には、湿度を透過するような接着剤等の中間物が介在しないため、湿度変化による電気泳動表示モジュール２の劣化を抑制することができる。
【００５６】
また、本実施形態の電気泳動表示装置１は、電気泳動表示モジュール２と額縁部材５との間に空気層である空間６を有する構成であるため、さらに耐衝撃性を向上することができる。さらに、空気層の圧力が外部雰囲気よりも高い構成であるため、外部から浸入する水分の量及び外部へと拡散する水分の量を低減することができる。これにより、さらに耐湿性（耐侯性）を向上させた電気泳動表示装置１を提供することができる。
【００５７】
＜第２の実施形態＞
図４は、本発明の第２の実施形態である電気泳動表示装置を示す断面模式図である。また、図４に示す構成要素のうち、図１及び図２に示す構成要素と同一の構成要素には、図１及び図２と同一の符号を付してその説明を省略、若しくは簡単に説明する。  
本発明を適用した第２の実施形態である電気泳動表示装置２１は、図４に示すように、電気泳動表示モジュール２を構成する防湿層１０と第１の保護シート３との間に衝撃緩和層２２が設けられて構成されている。
【００５８】
衝撃緩和層２２は、公知のものと同様にエラストマー等の柔軟な材料からなる透明なものである。また、衝撃緩和層２２は、第１の保護シート３上から衝撃力が加わると、変形することにより衝撃力を吸収あるいは緩和するようになっている。さらに、衝撃緩和層２２は、単層で構成する必要は無く、複数層で構成してもよい。  
本実施形態では、衝撃緩和層２２として、日立化成工業社製のエラストマー（商品名）を用いており、その厚さは０．２ｍｍ程度である。
【００５９】
以上説明したように、本実施形態の電気泳動表示装置２１は、前述した第１の実施形態の電気泳動表示装置１と同様の効果を得ることができる。  
また、本実施形態の電気泳動表示装置２１によれば、第１の保護シート３と電気泳動表示モジュール２との間に衝撃緩和層２２を設けることにより、電気表示モジュール２の表示面側であるＰＥＴ層（対向基板）９側への衝撃を緩和することができる。これにより、電気泳動層８及び防湿層１０の損傷が抑制されるため、さらに耐衝撃性が向上された電気泳動表示装置２１を提供することができる。
【００６０】
＜第３の実施形態＞  
図５は、本発明の第３の実施形態である電気泳動表示装置を模式的に示す平面図である。また、図５に示す構成要素のうち、図１、図２及び図４に示す構成要素と同一の構成要素には、図１、図２及び図４と同一の符号を付してその説明を省略、若しくは簡単に説明する。
【００６１】
本発明を適用した第３の実施形態である電気泳動表示装置３１，３２は、図５（ａ）及び図５（ｂ）に示すように、第１の保護シート３と第２の保護シート４との間に電気泳動表示モジュール２を位置決めする位置決め部材５１ａ，５２ａを有しており、この位置決め部材５１ａ，５２ａと額縁部材５１，５２とがそれぞれ一体化されて概略構成されている。
【００６２】
図５（ａ）に示すように、位置決め部材５１ａは、三角形状を有しており、矩形の電気泳動表示モジュール２の四隅に対向する位置に配置されて額縁部材５１と一体化されている。これにより、第１及び第２の保護シート３，４と額縁部材５１とによって形成された空間内に電気泳動表示モジュール２を収納する際に、当該電気泳動表示モジュール２の四隅をそれぞれ位置決め部材５１ａと対向させる位置に配置することで容易に位置決めすることができる。また、電気泳動表示モジュール２の破損しやすい四隅部分に対向する位置に位置決め部材５１ａが設けられると共に額縁部材５１と一体化されているため、落下等の衝撃によって電気泳動表示モジュール２の位置がずれてしまうおそれがなく、電気泳動表示モジュール２の損傷を十分に抑制することができる。
【００６３】
図５（ｂ）に示すように、位置決め部材５２ａは、半円形状を有しており、矩形の電気泳動表示モジュール２の四辺に対向する位置にそれぞれ２つずつ配置されて額縁部材５２と一体化されている。これにより、第１及び第２の保護シート３，４と額縁部材５２とによって形成された空間内に電気泳動表示モジュール２を収納する際に、当該電気泳動表示モジュール２の四辺をそれぞれ位置決め部材５２ａと対向させる位置に配置することで容易に位置決めすることができる。また、位置決め部材５２ａと額縁部材５２と一体化されているため、電気泳動表示モジュール２の損傷を十分に抑制することができる。
【００６４】
以上説明したように、本実施形態の電気泳動表示装置３１，３２は、第１の保護シート３と第２の保護シート４との間に電気泳動表示モジュール２を位置決めする位置決め部材５１ａ，５２ａを有しているため、第１及び第２の保護シート３，４と額縁部材５１，５２とによって形成された空間内に電気泳動表示モジュール２を収納する際の位置決めを容易にすることができる。また、位置決め部材５１ａ，５２ａと額縁部材５１，５２とが一体化されていることにより、電気表示モジュール２の周辺部（四隅、四辺）への衝撃を緩和することができる。これにより、さらに耐衝撃性が向上された電気泳動表示装置３１，３２を提供することができる。
【００６５】
なお、本発明の技術範囲は上記実施の形態に限定されるものではなく、本発明の趣旨を逸脱しない範囲において種々の変更を加えることが可能である。例えば、電気泳動表示装置の表示面側である第１の保護シート以外に透明樹脂を用いる必要がない場合、つまり、背面側は透明でなくても良い場合には、図６（ａ）に示すように、第２の保護シートと額縁部材とを一体化した箱型の光吸収性部材５３を用いることができる。この光吸収部材５３を一体成形することで、電気泳動表示装置４１の製造コストを低減することができる。  
また、曲げ性が必要でない場合には、図６（ｂ）に示すように、第２の保護シートに代えてステンレスなどの金属基板５５を用いることができる。この場合には、金属基板５５の外周に額縁部材５４をインサート成形することにより一体化することができる。この金属基板５５の表面に電気泳動表示モジュール２を接着することにより、耐衝撃性が格段に向上された電気泳動表示装置４２を提供することができる。
【００６６】
＜第４の実施形態＞  
図７は、本発明の第４の実施形態である電気泳動表示装置１５１の構成を示す図である。図７（ａ）は電気泳動表示装置１５１の平面図であり、図７（ｂ）は図７（ａ）におけるＢ−Ｂ断面に沿った形状を示す図である。また、図７（ａ）及び図７（ｂ）に示す構成要素のうち、図１、図２及び図４に示す構成要素と同一の構成要素には、図１、図２及び図４と同一の符号を付してその説明を省略、若しくは簡単に説明する。
【００６７】
本実施形態に係る電気泳動表示装置１５１は、電気泳動表示モジュール２を駆動する駆動回路が、電気泳動表示モジュール２を構成する素子基板７とは異なる基板である回路基板７０に形成された構成になっており、素子基板７と回路基板７０との間が接続基板８０によって接続された構成になっている。本実施形態では、額縁部材５が、電気泳動表示モジュール２及び回路基板７０のうち電気泳動表示モジュール２のみを囲うように形成されている。
【００６８】
素子基板７は、図７（ａ）の平面視で下辺の右端部に複数の接続端子（不図示）を有している。この不図示の接続端子は、電気泳動表示モジュール２と接続基板８０とを接続する端子である。これらの接続端子は、例えば素子基板７上の半導体素子などに接続されている。素子基板７は、複数の接続端子が設けられた領域において接続基板８０に接続されている。
【００６９】
回路基板７０は、第１の保護シート３と第２の保護シート４との間であって平面視で額縁部材５の外側（図７（ａ）の図中下側）に配置されている。回路基板７０は、基板本体７０ａと、駆動回路７１と、モジュール接続コネクタ７２と、外部接続コネクタ７３と、電源装置７４とを有している。モジュール接続コネクタ７２は、駆動回路７１と接続基板８０との間を電気的に接続するコネクタである。外部接続コネクタ７３は、例えば電源などの装置外部に接続するコネクタである。
【００７０】
電源装置７４は、基板本体７０ａのうち第２の保護シート４側の面に配置されており、例えば電池などの交換可能に設けられた電源７４ａを有している。電源７４ａは、電気泳動表示装置１の内部電源として用いることができるようになっている。本実施形態に係る電気泳動表示装置１５１は、外部接続コネクタ７３及び電源装置７４を有していることにより、外部接続コネクタ７３を介して外部電源に接続する電源モードと、電源装置７４の電源７４ａを用いる電源モードとを使い分けることができるようになっている。
【００７１】
第２の保護シート４は、例えば平面視で電源装置７４に重なる位置に蓋部４ａを有している。蓋部４ａは、第２の保護シート４ａの他の部分に対して開閉可能に設けられている。蓋部４ａを開けた状態にすることで、蓋部４ａの奥に配置される電源７４ａに装置外部からアクセスすることができるようになっている。
【００７２】
回路基板７０は、第２額縁部材５０によって取り囲まれた構成になっている。第２額縁部材は、第１の保護シートと第２の保護シートとの間であって額縁部材５の外側の領域に設けられている。第２額縁部材は、平面視で回路基板のうち電気泳動表示モジュール側の辺を除く３辺（図７（ａ）では図中左辺、下辺及び右辺）に沿って設けられており、回路基板の当該３辺は第２額縁部材によってカバーされている。回路基板７０のうち電気泳動表示モジュール側の辺（図７（ａ）では図中上辺）は、上記額縁部材５によってカバーされている。第２額縁部材は、例えば額縁部材５と同一の材料によって構成することができる。上記の外部接続コネクタ７３は、接続端が第２額縁部材５０の外側に露出した状態になっている。
【００７３】
接続基板８０の一端は、例えば異方性導電粒子（ＡＣＦ）を含んだ接着剤８０ａなどを介して素子基板７に接続されている。接続基板８０の他端は、モジュール接続コネクタ７２を介して回路基板７０に接続されている。額縁部材５には、接続基板８０を貫通させる貫通孔５ａが形成されている。接続基板８０は当該貫通孔５ａを介して額縁部材５の内外を貫通するように配置されている。このように接続基板８０は、額縁部材５の内外に跨って配置されている。
【００７４】
貫通孔５ａの開口径は、接続基板８０の断面視での寸法よりも大きくなるように形成されている。したがって、接続基板８０と額縁部材５との間には隙間が形成されることとなる。貫通孔５ａ内には、この隙間を埋めるように封止部材９０が形成されている。封止部材９０は、例えば熱硬化性の樹脂などの材料によって構成されている。封止部材９０が形成されていることで、電気泳動表示モジュール２側へ水分が浸入するのを一層確実に防ぐことができるようになっている。
【００７５】
本実施形態の電気泳動表示装置１５１は、上記実施形態と同様、第１の保護シート３、第２の保護シート４及び額縁部材５を溶着させて形成するものである。封止部材９０として熱硬化性の樹脂を用いることにより、溶着時の熱を利用して当該熱硬化性の樹脂を硬化させることができるため、製造工程の効率化につながることとなる。
【００７６】
図８は、図７（ａ）におけるＣ−Ｃ断面に沿った形状を示す図である。図８では、図面を読み取りやすくするため、接続基板８０の図示を省略している。  
同図に示すように、貫通孔５ａは、電気泳動表示装置１５１の厚さ方向（図中上下方向）のほぼ中央部に形成されている。この貫通孔５ａの位置としては、例えば第１の保護シート３に接する位置５ｂに形成しても構わないし、第２の保護シート３に接する位置５ｃに形成しても構わない。この構成によれば、上記の溶着時の熱を一層効率的に利用することができる。
【００７７】
このように、本実施形態によれば、電気泳動表示モジュール２の駆動回路７１を有し電気泳動表示モジュール２との間で駆動信号を授受可能に設けられた回路基板７０が第１の保護シート３と第２の保護シート４との間に配置されると共に回路基板７０が額縁部材の外側に設けられており、この回路基板７０を取り囲む第２額縁部材５０が第１の保護シート３と第２の保護シート４の間に設けられているので、回路基板７０が額縁部材５の外側に配置されている場合であっても、耐衝撃性を備えた薄型の電気泳動表示装置１５１を得ることができる。
【００７８】
＜第５の実施形態＞  
次に、本発明の第５の実施形態を説明する。  
図９は、本実施形態に係る電気泳動表示装置２５１の構成を示す概略断面図である。図９（ａ）は、第４の実施形態における図８と同一の視点で電気泳動表示装置２５１を見たときの図である。図９（ｂ）は、電気泳動表示装置２５１の一部の構成を分解して示す図である。図９（ａ）及び図９（ｂ）においては、図中上側を表示面側、図中下側を裏面側と表記する。図９では、図面を読み取りやすくするため、上記図８と同様、接続基板８０の図示を省略している。
【００７９】
図９（ａ）及び図９（ｂ）に示すように、本実施形態では、額縁部材５が表示面側と裏面側とが異なる部材になっており、当該異なる部材が一体的に形成されている構成になっている点で、第４の実施形態とは異なっている。他の構成については、第４の実施形態と同一になっている。額縁部材５は、表示面側に配置される第１部材５ｐと、裏面側に配置される第２部材５ｑとを有している。
【００８０】
一体的に形成される第１部材５ｐ及び第２部材５ｑは、電気泳動表示モジュールの周囲を囲う額縁部材５の構成部材であり、互いに対向して配置された環状部材である。第１部材５ｐ及び第２部材５ｑは、平面視における形状が同一に形成されており、対向配置された状態で側面側が面一状態となっている。第１部材５ｐ及び第２部材５ｑは、それぞれ他と対向する面とは反対面側が第１の保護シート３又は第２の保護シート４に溶着されている。第１部材５ｐと第２部材５ｑとの間については、溶着させるようにしても構わないし、接着剤などを介して接着させるようにしても構わない。
【００８１】
第１部材５ｐ及び第２部材５ｑは、それぞれ他と対向する面側に第１溝部５ｒ及び第２溝部５ｓを有している。第１溝部５ｒ及び第２溝部５ｓは、第１部材５ｐ及び第２部材５ｑの環状の内側から外側にかけて形成されている。第１溝部５ｒ及び第２溝部５ｓは平面視で重なる位置に配置されており、第１部材５ｐ及び第２部材５ｑが対向配置された状態で貫通孔５ａを構成するようになっている。
【００８２】
このように、本実施形態によれば、額縁部材５が、第１の保護シート３に溶着され貫通孔５ａの一部分を構成する第１溝部５ｒを有する第１部材５ｐと、第２の保護シート４に溶着され第１部材５ｐと一体的に形成され第１溝部５ｒとの間で貫通孔５ａを構成する第２溝部５ｓを有する第２部材５ｑとを備えることとしたので、電気泳動表示装置２５１全体の組み立て易さが向上することとなる。
【００８３】
本発明の技術範囲は上記実施形態に限定されるものではなく、本発明の趣旨を逸脱しない範囲で適宜変更を加えることができる。  
例えば、上記実施形態においては、第２の保護シート４と額縁部材５とが別部材となっている例を説明したが、これに限られることは無く、例えば図１０に示すように、第２の保護シート４と額縁部材５とが一部材４０として構成されている構成であっても構わない。この場合、例えば電気泳動表示装置の製造時前に、予め第２の保護シート４と額縁部材５とを溶着によって一体化させて一部材４０を形成しておき、電気泳動表示装置の製造時に当該一部材４０を用いて第１の保護シート４と溶着させるようにしても構わない。この構成によれば、電気泳動表示装置の組み立て効率が向上すると共に、防湿性を一層高めることが可能となる。第２の保護シート４と額縁部材５とを一部材４０として形成する場合、両者を同一の材料によって形成しても構わないし、異なる材料によって形成しても構わない。
【００８４】
また、上記第４及び第５の実施形態においては、電気泳動表示モジュール２と回路基板７０との間が接続基板８０を介して接続されている例を挙げて説明したが、これに限られることは無く、例えば図１１に示すように、電気泳動表示モジュール２と回路基板７０との間で無線などによる非接触な駆動信号の授受を行う構成としても構わない。図１１に示す電気泳動表示装置４５１は、電気泳動表示モジュール２側に通信装置４ｂが設けられていると共に、回路基板７０側にも通信装置７０ｂが設けられた構成になっている。このような通信装置４ｂ及び７０ｂとしては、例えば光を用いた通信装置を用いることができる。これにより、貫通孔５ａや封止部材９０を設ける必要が無く、電気泳動表示モジュール２を確実に封止することができる。
【産業上の利用可能性】
【００８５】
本発明の電気泳動表示装置の構造は、電子ペーパーの構造のみならず、液晶パネルや有機ＥＬ等のガラス基板を利用した表示体の耐衝撃性および耐侯性（耐湿性）を向上させる構造としても活用することができる。
【図面の簡単な説明】
【００８６】
【図１】図１は、本発明の第１の実施形態である電気泳動表示装置を模式的に示す平面図である。
【図２】図２は、図１に示すＡ−Ａ’線に沿う断面模式図である。
【図３】図３は、レーザー光による加熱によって材料同士を溶融するプロセスを示す模式図である。
【図４】図４は、本発明の第２の実施形態である電気泳動表示装置を示す断面模式図である。
【図５】図５は、本発明の第３の実施形態である電気泳動表示装置を模式的に示す平面図である。
【図６】図６は、本発明の変形例である電気泳動表示装置を示す断面模式図である。
【図７】図７は、本発明の第４の実施形態である電気泳動表示装置を示す平面図及び断面図である。
【図８】図８は、図７に示すＣ−Ｃ線に沿う断面模式図である。
【図９】図９は、本発明の第４の実施形態である電気泳動表示装置を示す断面図である。
【図１０】図１０は、本発明の変形例である電気泳動表示装置を示す断面模式図である。
【図１１】図１１は、本発明の変形例である電気泳動表示装置を示す断面模式図である。
【符号の説明】
【００８７】
１，２１，３１，３２，４１，４２、１５１、２５１、３５１、４５１…電気泳動表示装置、２…電気泳動表示モジュール、３…第１の保護シート、４…第２の保護シート、５，５１，５２，５４…額縁部材、６…空間、７…素子基板（ＴＦＴガラス基板）、８…電気泳動層、９…対向基板（ＰＥＴ層）、１０…防湿層、１１…防湿樹脂、１２…接着層、２２…衝撃緩和層、５１ａ，５２ａ…位置決め部材、５３…光吸収部材、５５…金属基板、７０…回路基板、７１…駆動回路、１００…被照射体、１０１…金属基板、１０２…光吸収性樹脂、１０３…光透過性樹脂、Ｌ…レーザー光、Ｍ…溶融部、
【図１】
0005277862.tif 000002
【図２】
0005277862.tif 000003
【図３】
0005277862.tif 000004
【図４】
0005277862.tif 000005
【図５】
0005277862.tif 000006
【図６】
0005277862.tif 000007
【図７】
0005277862.tif 000008
【図８】
0005277862.tif 000009
【図９】
0005277862.tif 000010
【図１０】
0005277862.tif 000011
【図１１】
0005277862.tif 000012